(57)【要約】【課題】本発明は、少なくとも、ノズル部が上下移動をすることなく、且つシリンダの摺動性が優れた自向式のトリガースプレーを提供すること。【解決手段】容器口部に取り付けられるベース体１と、該ベース体１と一体となったシリンダ２と、該シリンダ２内を摺動するピストン３と、前記ベース体１に取り付けられたシリンダ２と、該ハウジング８に固定されたノズル部７と、該ノズル部７とピストン３とを連結する屈曲性を有する連結管６と、前記ベース体１に枢着され、且つ連結管６と係合するアーム４と、該アーム４に対して復帰力を与えるスプリング５と、を備え、前記アーム４を回動させると、前記ピストン３が押し下げられるトリガースプレーＡ。【選択図】図１
2010088986.tif 000002
【特許請求の範囲】
【請求項１】
容器口部に取り付けられるベース体と、該ベース体と一体となったシリンダと、
該シリンダ内を摺動するピストンと、
前記ベース体に取り付けられたシリンダと、
該ハウジングに固定されたノズル部と、
該ノズル部とピストンとを連結する屈曲性を有する連結管と、
前記ベース体に枢着され、且つ連結管と係合するアームと、
該アームに対して復帰力を与えるスプリングと、を備え、
前記アームを回動させると、前記ピストンが押し下げられることを特徴とするトリガースプレー。
【請求項２】
前記アームに指を掛けるための湾曲した指掛け部が形成されており、該指掛け部の位置がベース体との枢着点の位置まで後退していることを特徴とする請求項１記載のトリガースプレー。
【請求項３】
前記指掛け部は前記アームの上半部に湾曲状に形成されていることを特徴とする請求項２記載のトリガースプレー。
【請求項４】
前記指掛け部に滑り止めのための凹凸が形成されていることを特徴とする請求項２記載のトリガースプレー。
【請求項５】
前記ハウジングの後方に後ろ指掛け部が形成されていることを特徴とする請求項１記載のトリガースプレー。
【請求項６】
ベース体に掛止孔が設けられ、該掛止孔に前記アームに形成された掛止軸が回動自在にはめ込まれていることを特徴とする請求項１記載のトリガースプレー。
【請求項７】
前記アームが湾曲した翼片部と該翼片部に設けられた一対の足片部とを備え、足片部に形成された係合部に、連結管に形成された係合突起が嵌り込むことによりアームと連結管とが係合していることを特徴とする請求項１記載のトリガースプレー。
【請求項８】
前記スプリングが基部と該基部からＵ字状に湾曲して突出し、先端で連結された湾曲バネ部とよりなり、基部がベース体に形成された基部載置部に載置され、先端の連結部が足片部に形成された掛合爪に掛止されていることを特徴とする請求項７記載のトリガースプレー。
【請求項９】
前記シリンダから垂下された吸い上げチューブ部に対して装着される補助チューブ部に弁座部が一体成形されていることを特徴とする請求項１記載のトリガースプレー。
【発明の詳細な説明】
【技術分野】
【０００１】
本発明は、トリガーを回動移動させることによりピストンを押し下げて容器に通じるシリンダ内の液体をノズルより噴射させるトリガースプレーに関するものである。
【背景技術】
【０００２】
従来、薬剤等の液体を吹き付けるためにスプレー容器が使用されている。
スプレー容器に取り付けられた吹き付け機構であるポンプディスペンサには、例えばトリガースプレーが使用されている（特許文献１参照）。
【０００３】
特許文献１に記載されたトリガースプレーはベース体と、ピストンと、シリンダと、作動レバーと、圧縮ばねと、を備えている。
作動レバーはそれに形成された枢支部が、ベース体に形成されたピンに枢着することで回動自在となっている。
作動レバーとピストンとは、作動レバーに形成された切り欠き部がピストンに形成されたピンに係合することにより結合しており、作動レバーの手動アーム部に指を当て回動させると、それに伴ってピストンが下方へ移動し、シリンダ内の液体を圧縮する。
シリンダの中には圧縮ばねが配設されており、ピストンはこの圧縮ばねにより常時上方に付勢されている。そのため、作動レバーにより下方へ押し下げられたピストンは、圧縮ばねの弾発力によって、再び上死点まで移動させられる。
【特許文献１】特開昭５３−３６７１４号公報
【発明の開示】
【発明が解決しようとする課題】
【０００４】
しかしながら、上記特許文献のトリガースプレーは、ピストンとノズル部とが一体となった構造であるため、作動レバーを引き込み、ピストンを下方に移動させると、ノズル部もピストンの動きに同調して下方に移動してしまう。
このようにノズル部が上下方向に移動するため、狙った場所に液体を噴射させることが難しかった。
また作動レバーを、枢支部を起点として回動させると、ピストンの細径部が僅かながらも左右に振れるため、ピストンとシリンダ内壁との摩擦により摺動性が悪くなる。
ところで、最近、ノズル部を手前に向けて、例えば、顔等に対して噴射する使い方を採用したいわゆる自向型のトリガースプレーが求められている。
この場合には、トリガーに親指を当てて押すようにして使用する。
上記特許文献のトリガースプレーを手前に向けて手動アーム部に指を当て使用する場合、親指を平行移動する必要があり、どうしても指に無理な力が加わり易い。
【０００５】
本発明は以上のような技術背景のもとに開発されたものである。
すなわち、本発明は、少なくとも、ノズル部が上下移動をすることなく、且つシリンダの摺動性が優れた自向式のトリガースプレーを提供することを目的とする。
【課題を解決するための手段】
【０００６】
本発明者は、以上のような課題背景をもとに鋭意研究を重ねた結果、ピストンとノズルとを連結する連結管として、屈曲性を有するものを採用することで上記の課題を解決できることを見出し、その知見に基づいて本発明を完成させたものである。
【０００７】
すなわち本発明は、（１）容器口部に取り付けられるベース体と、該ベース体と一体となったシリンダと、該シリンダ内を摺動するピストンと、前記ベース体に取り付けられたシリンダと、該ハウジングに固定されたノズル部と、該ノズル部とピストンとを連結する屈曲性を有する連結管と、前記ベース体に枢着され、且つ連結管と係合するアームと、該アームに対して復帰力を与えるスプリングと、を備え、前記アームを回動させると、前記ピストンが押し下げられるトリガースプレーに存する。
【０００８】
また本発明は、（２）前記アームに指を掛けるための湾曲した指掛け部が形成されており、該指掛け部の位置がベース体との枢着点の位置まで後退している上記（１）記載のトリガースプレーに存する。
【０００９】
また本発明は、（３）前記指掛け部は前記アームの上半部に湾曲状に形成されている上記（２）記載のトリガースプレーに存する。
【００１０】
また本発明は、（４）前記指掛け部に滑り止めのための凹凸が形成されている上記（２）記載のトリガースプレーに存する。
【００１１】
また本発明は、（５）前記ハウジングの後方に後ろ指掛け部が形成されている上記（１）記載のトリガースプレーに存する。
【００１２】
また本発明は、（６）ベース体に掛止孔が設けられ、該掛止孔に前記アームに形成された掛止軸が回動自在にはめ込まれている上記（１）記載のトリガースプレーに存する。
【００１３】
また本発明は、（７）前記アームが湾曲した翼片部と該翼片部に設けられた一対の足片部とを備え、足片部に形成された係合部に、連結管に形成された係合突起が嵌り込むことによりアームと連結管とが係合している上記（１）記載のトリガースプレーに存する。
【００１４】
また本発明は、（８）前記スプリングが基部と該基部からＵ字状に湾曲して突出し、先端で連結された湾曲バネ部とよりなり、基部がベース体に形成された基部載置部に載置され、先端の連結部が足片部に形成された掛合爪に掛止されている上記（７）記載のトリガースプレーに存する。
【００１５】
また本発明は、（９）前記シリンダから垂下された吸い上げチューブ部に対して装着される補助チューブ部に弁座部が一体成形されている上記（１）記載のトリガースプレーに存する。
【００１６】
なお、本発明の目的に添ったものであれば上記の発明を適宜組み合わせた構成も採用可能である。
【発明の効果】
【００１７】
本発明のトリガースプレーにおいては、ハウジングに固定されたノズル部と、ピストンとが屈曲性を有する連結管で結合されているので、ピストンが上下移動してもノズル部は上下移動しない。
その結果、本発明の使用者は狙った箇所に的確に液体を噴射させることができる。
【００１８】
アームの上半分の湾曲状の部分は指掛け部となっており、この指掛け部はほぼ枢着点の位置にまで後退した位置にあることにより、ノズル部を手前側に向けて指掛け部に親指を置き、力を加えた場合、アームの回動軌道が親指の軌道とほぼ一致することとなる。
その結果、使用者は極めて自然にアームを操作することができる。
【００１９】
ハウジングの後方部に後ろ指掛け部を設けることで、ノズル部を使用者側に向けて把持した際に、人差し指及び中指を後ろ指掛け部に置くことができ、より安定した把持状態を作り出すことができる。
【発明を実施するための最良の形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
（第１の実施形態）
図１及び図２は本実施形態のトリガースプレーを示す断面図であり、図１はアームを引き込む前、図２はアームを引き込んだ後の状態を示す。
図に示すように、本実施形態のトリガースプレーＡは、ベース体１と、シリンダ２と、ピストン３と、アーム４と、スプリング５と、連結管６と、ノズル部７と、ハウジング８と、吸上げチューブ部９と、を備える。
【００２２】
ベース体１は、上述した部品を組み合わせてトリガースプレーＡを組み立てる際の基礎となる部分であって、トリガースプレーＡはベース体１に各部品を組み付けていくことで、全体が一体となる。
【００２３】
本実施形態においては、ベース体１と、シリンダ２と、容器内の液体をシリンダ２へと移送する際の流通路となる吸い上げチューブ部９とは一体に成形されており、部品点数が大きく削減されている。
このようにこれらを一体に成形する必要は必ずしも無く、全てバラバラに成形し、その後組み立てても構わない。
【００２４】
シリンダ２内に充填された液体に圧力を加えるためのピストン３は、シリンダ２内に摺動可能に配設されている。
また、ピストン３は液体の噴射口であるノズル部７と屈曲自在な連結管６を介して結合しており、ピストン３により圧縮された液体は連結管６を通ってノズル部７から噴射される。
そして、ノズル部７はピストン３の昇降移動に追従して動かないようにハウジング８に保持固定されている。
【００２５】
トリガースプレーＡにおいては、ノズル部７がハウジング８に固定され、且つノズル部７が屈曲性を有する連結管６を介してピストン３に結合されているため、アーム４の回転に伴ってピストン３が下方へ移動しても、連結管６のみが屈曲するように追従する。そのため、ノズル部７が従来のようにピストン３の動きと共に下方へ移動することがなく、狙いを定め易くなっている。
なお、連結管６の外周には図示しない多数の円盤状のリブが形成されており、それにより屈曲しても断面が変形しないので液体の通りが悪くならない。
【００２６】
本実施形態ではピストン３、連結管６、及びノズル部７が一体に成形されており、部品点数の削減及び組み立て工数の削減に大きく寄与している。
その場合は、連結管６に屈曲性を付与するために、その周囲を肉薄に成形したり、多色成形により連結管６のみ別材料を使う等の方法がある。
【００２７】
アーム４はその一部がベース体１に回動自在に枢着され、他の一部が連結管６と係合している。
アーム４の一部である指掛け部４１Ａは外部に露出しており、ここに使用者が親指を当てて力を加えると、アーム４はベース体１との枢着部を中心に回動する。
そして、アーム４が回動すると、アーム４と連結管６との係合部の位置が下がる。
該係合部の位置が下がるとピストン３も下方へと下がる。
ここでハウジング８に保持固定されたノズル部７からピストン３に渡る部分の連結管６が屈曲する。
この場合、アーム４が回動することに伴い、連結管６が左右に振れる。
しかし連結管６が屈曲自在であるので、その振れがピストン３に波及しない。
すなわち前述した従来のように、ピストンまで振れが伝わりシリンダ２の内壁との摩擦によってピストン３の摺動性が悪くなるような問題は全く生じない。
【００２８】
次に、アーム４の形状について具体的に説明する。
図３はアームを示す説明図であり、（Ａ）は斜視図で、（Ｂ）は側面図である。
図に示すように、アーム４は断面コの字状の翼片部４１と、翼片部４１の下方に設けられた二股状の足片部４２Ａ、４２Ａと、からなる。
翼片部４１の前面部の上半部には使用者が指を掛けて力を加える指掛け部４１Ａが形成され、また足片部４２Ａ、４２Ａには連結管６に形成された係合突起６１に係合する係合部４２Ｂが形成されている。
そしてさらに、各足片部の最端部には後述するスプリング５に形成された連結部５１Ｃに掛合する掛合爪４３が形成されている。
各足片部の下部前方にはベース体１に設けられた掛止孔１１に嵌り込み、アーム４を枢着させる掛止軸４４が、アーム４の内方に向けて延設されている。
【００２９】
翼片部４１の上半分の湾曲状の部分が指掛け部４１Ａとなっており、そして指掛け部４１Ａはほぼ枢着点（掛止軸４４）の位置にまで後退した位置にある。
そのため、ノズル部７を手前側（例えば、顔方向）に向け、その状態で指掛け部４１Ａに親指を置いて力を加えた場合、アーム４の回動軌道が親指の軌道とほぼ一致することとなる。
したがって、使用者は極めて自然にアーム４を操作することができる。
先述した従来例のトリガースプレーを使った場合のように、親指をわざわざ無理して平行移動する必要はなく、このように素直な無理のない親指の動きでアーム４の操作が可能となる。
もっとも、指掛け部４１Ａの位置は枢着点（掛止軸４４）の位置よりも後退した位置でもよい。
【００３０】
連結管６はトリガースプレーＡを組み付けた際に、一対の足片部４２Ａ、４２Ａの間に配置される。
このため、足片部が連結管６の動きや変形を矯正するガイドの役割を果たし、アーム４の回転によって連結管６が下方へ押し込まれた際に、アーム４の回転による押し込み力は連結管６を介して確実にピストン３へと伝達される。
【００３１】
スプリング５は回動したアーム４に復帰力を与えて、元の位置へ戻すもので、図４に示すように、基部５２と、基部５２からＵ字状に突出した一対の湾曲バネ部５１Ａ、５１Ｂと、二つの湾曲バネ部の先端部同士を連結する連結部５１Ｃと、で構成されている。
そして、基部５２がベース体１に形成された基部載置部１４に載置され、基部の一部である掛止部５２Ａが基部掛止部１２に嵌り込むことにより、スプリング５はベース体１に固定される（図５参照）。
【００３２】
一方、連結部５１Ｃは図５に示すように、アーム４の足片部４２Ａ、４２Ａに形成された掛合爪４３に掛止されており、スプリング５がアーム４に与える復帰力は連結部５１Ｃと掛合爪４３との当接部分を通じてアーム４に伝えられる。
本実施形態においては、連結部５１Ｃの形状は丸棒となっているため、掛合爪４３との接触抵抗が極力小さくなり、スプリング５が与える復帰力が効率よくアーム４に伝達される。
【００３３】
吸上げチューブ部９はシリンダから垂下されており、トリガースプレーＡが取り付けられた容器内の液体をシリンダ２へと流入させるための流路であって、本実施形態のようにシリンダ２と一体に形成されていることが好ましい。
尚、この実施形態の吸上げチューブ部９は補助チューブ部１０を備えており、容器を倒立させた場合にも吸い上げ可能となっている。
【００３４】
吸上げチューブ部９とシリンダ２との間には、液体の吸い上げを行い、また流入した液体が容器へと逆流することを防ぐためのファーストバルブＶ１が設けられている。
ファーストバルブＶ１は通常の状態ではシリンダ２内に貯留された液体の水圧によって弁座に押し付けられているが、シリンダ２内の液体が噴射された後、ピストン３の戻りにより負圧になると弁座から離れ、通路を開放する。
【００３５】
ハウジング８はピストン３やスプリング５等を外部からの衝撃、または汚れから守るため或いは握り易くするためのカバーとして機能するもので、ハウジング８の前方下部に設けられた係合孔８２に、ベース体１の前方下部に設けられたフック１３が係合することにより、ハウジング８はベース体１に固定される。（図１参照）。
【００３６】
次に、本実施形態のトリガースプレーの作動について説明する。
まず、アーム４の指掛け部４１Ａに指が当てられ、これがトリガースプレーＡの内方に引き込まれると、アーム４は掛止軸４４を起点として下向きに回動する。
【００３７】
アーム４が下向きに回動すると、アーム４が連結管６を下方に押し込み、押し込まれた連結管６がピストン３を押し込む。
ピストン３が押し下げられると、シリンダ２内の液体は圧縮され、その圧縮された液体は連結管６を通り、ノズル部７から外部に噴射される。
【００３８】
ノズル部７から液体が噴射された後は、アーム４の指掛け部４１Ａから指が離され、スプリング５の復帰力によりアーム４が元の位置に戻る。
すると、連結管６の上昇に伴ってピストン３も上昇するためシリンダ２内の圧力が負圧になり、ファーストバルブＶ１が開放され、容器内の液体が吸上げチューブ部９を通じて吸い上げられる。
【００３９】
吸い上げられた液体でシリンダ２内が満たされると、またアーム４の指掛け部４１Ａが引き込まれ同様な操作が繰り返される。
【００４０】
以上、本発明をその一実施形態を例に説明したが、本発明は上述した実施形態のみに限定されるものではなく、種々の変形が可能である。
【００４１】
例えば、ノズル部の先端に、複数種の形状の噴射口を有するキャップを取り付け、トリガースプレーの使用時に噴射させる液体の形状を選択できるようにしてもよい。
ピストン３、連結管６、及びノズル部７が一体に成形されることが好ましいが、それらを別体に成形し相互に一体に組み付けることも可能である。
また、アーム４の指掛け部４１Ａの位置は、スペースの制約という問題を解決できれば、枢着部（掛止軸４４）の位置より、更により後退した位置とすることも可能である。
【００４２】
トリガースプレーの外形は、断面が矩形以外の形でも良く、例えば図６に示すような楕円形の他、円形等も採用可能である。
スプリング及びアームに関しても、上述した実施形態ではそれぞれ別体に成形されていたが、図７に示すように一体に成形してもよい。
このように一体化することで、組み付け工数が少なくなる利点がある。またアームからスプリングへと力が効率良く伝達される。
【００４３】
また、上述した実施形態では、吸上げチューブ部９にカップリング１０Ａを介して装着される補助チューブ部１０を使用しているが、補助チューブ部１０に装着される逆流防止のための弁座部１０Ｂは別体となっている。
しかし、図８に示すように、弁座部１０Ｂを補助チューブ部１０と一体に成形することも可能である。
この場合、弁座部１０Ｂを紛失することが無く、また組み付けも簡単にできる。
【００４４】
図９（Ａ）に示すように、容器の後方に内方に向かって窪んで形成された後ろ指掛け部Ｐを形成することにより、トリガースプレーＡの握り易さが向上する。
後ろ指掛け部Ｐは、ノズル部７を使用者側に向けて持ち、図示するように、アーム４の指掛け部４１Ａに親指を当てた場合に、人差し指及び中指等がちょうど収まるような位置に形成されることが好ましい。
また、図９（Ｂ）に示すように、アーム４を引き込む際の指の滑りを防止するために、指掛け部４１Ａに滑り止めのための凹凸Ｑを形成することも可能である。
【図面の簡単な説明】
【００４５】
【図１】本実施形態のトリガースプレーを示す断面図である。
【図２】本実施形態のトリガースプレーを示す断面図である。
【図３】アームを示す説明図であり、（Ａ）は斜視図で、（Ｂ）は側面図である。
【図４】スプリングを示す斜視図である。
【図５】アーム、スプリング、及び連結管の結合状態を示す斜視図である。
【図６】本実施形態のトリガースプレーの外観図である。
【図７】アームとスプリングとが一体に成形されたものを示す説明図である。
【図８】補助チューブ部、カップリング、及び弁座が一体に成形されたものを示す説明図であり、（Ａ）は側面図で、（Ｂ）は斜視図である。
【図９】別の実施形態のトリガースプレーを示す説明図であり、（Ａ）は容器に後ろ指掛け部が形成されたもの、（Ｂ）はトリガーの指掛け部に凹凸が形成されたものを示す説明図である。
【符号の説明】
【００４６】
Ａ…トリガースプレー
１…ベース体
１１…掛止孔
１２…基部係止部
１３…フック
１４…基部載置部
２…シリンダ
３…ピストン
４…アーム
４１…翼片部
４１Ａ…指掛け部
４２Ａ…足片部
４２Ｂ…係合部
４３…掛合爪
４４…掛止軸
５…スプリング
５１Ａ、５１Ｂ…湾曲バネ部
５１Ｃ…連結部
５２…基部
５２Ａ…掛止部
６…連結管
６１…係合突起
７…ノズル部
８…ハウジング
８２…係合孔
９…吸上げチューブ部
１０…補助チューブ部
１０Ａ…カップリング
１０Ｂ…弁座部
Ｐ…後ろ指掛け部
Ｑ…凹凸
Ｖ１…ファーストバルブ
【図１】
2010088986.tif 000003
【図２】
2010088986.tif 000004
【図３】
2010088986.tif 000005
【図４】
2010088986.tif 000006
【図５】
2010088986.tif 000007
【図６】
2010088986.tif 000008
【図７】
2010088986.tif 000009
【図８】
2010088986.tif 000010
【図９】
2010088986.tif 000011